(57)【要約】  可撓性材料からなるスライドスクリーン（１）の縁部のための縁部シール手段であって、前記縁部シール手段はスクリーン（１）の各側面にそれぞれ配置された一対のシールブラシ（１７、１８）を有し、各シールブラシは旋回不可能に取り付けられたベース（１９）から突出するブラシフィラメント（２０）を有し、ブラシフィラメント（２０）はスクリーン（１）に対して同方向に傾斜するように配置された縁部シール手段が提供される。ブラシフィラメント（２０）はベース（１９）に対して傾斜していてもよい。
2005511928.tif 000002
【特許請求の範囲】
【請求項１】
可撓性材料からなるスライドスクリーン（１）の縁部のための縁部シール手段であって、前記縁部シール手段はスクリーン（１）の側面に配置された一対のシールブラシ（１７、１８）を有し、各シールブラシは旋回不可能に取り付けられたベース（１９）から突出するブラシフィラメント（２０）を有し、ブラシフィラメント（２０）はスクリーン（１）に対して同方向に傾斜するように配置された前記縁部シール手段において、ブラシフィラメント（２０）はそれらの間にスクリーン（１）のための間隙（２５）が提供されるように配置されていることを特徴とする縁部シール手段。
【請求項２】
ブラシフィラメント（２０）の一方が他方よりも長く、これによりスクリーン（１）とブラシ（１７、１８）との間の接触線がオフセットされていることを特徴とする請求項１に記載の縁部シール手段。
【請求項３】
各ブラシフィラメント（２０）のスクリーン（１）に対する傾斜角度は、３０度乃至６０度であることを特徴とする請求項１又は２に記載の縁部シール手段。
【請求項４】
ブラシフィラメント（２０）は、スクリーン（１）に対して約４５度の角度で傾斜していることを特徴とする先行する請求項のいずれかに記載の縁部シール手段。
【請求項５】
ブラシフィラメント（２０）は、スクリーン（１）に対して傾斜するようにベース（１９）に対して角度をなしていることを特徴とする先行する請求項のいずれかに記載の縁部シール手段。
【請求項６】
各シールブラシ（１７、１８）はブラシチャネル（１６）に装着されており、各ベース（１９）は使用に際してスライドスクリーン（１）のスライドレール（３０）に接触するようにブラシチャネル（１６）から突出して構成された延長部（２２）を有することを特徴とする先行する請求項のいずれかに記載の縁部シール手段。
【請求項７】
ブラシフィラメント（２０）は、その自由端において１ｃｍ当たり１５０本より少ないブラシフィラメント密度を有する領域を形成するように配置されていることを特徴とする先行する請求項のいずれかに記載の縁部シール手段。
【請求項８】
ブラシフィラメント（２０）の自由端における密度は、１ｃｍ当たり１０本より多いことを特徴とする先行する請求項のいずれかに記載の縁部シール手段。
【請求項９】
ブラシフィラメント（２０）の自由端における密度は、１ｃｍ当たり約１００本であることを特徴とする先行する請求項のいずれかに記載の縁部シール手段。
【請求項１０】
ブラシフィラメント（２０）の自由端における密度は、１ｃｍ当たり約１２０本であることを特徴とする請求項１乃至８のいずれかに記載の縁部シール手段。
【請求項１１】
ブラシフィラメント（２０）の基部は、間隔をおいたタフト（２６）にグループ分けされていることを特徴とする先行する請求項のいずれかに記載の縁部シール手段。
【請求項１２】
可撓性材料からなるスライドスクリーン（１）の縁部のための縁部シール手段であって、前記縁部シール手段はスクリーン（１）の側面に配置された一対のシールブラシ（１７、１８）を有し、各シールブラシは旋回不可能に取り付けられたベース（１９）から突出するブラシフィラメント（２０）を有する前記縁部シール手段において、
ブラシフィラメント（２０）はベース（１９）に対して傾斜するとともにスクリーン（１）に対して同方向に傾斜していることを特徴とする縁部シール手段。
【請求項１３】
各ブラシフィラメント（２０）のベース（１９）に対する傾斜角度は、３０度乃至６０度であることを特徴とする請求項１２に記載の縁部シール手段。
【請求項１４】
ブラシフィラメント（２０）はベース（１９）に対して約４５度の角度で傾斜していることを特徴とする請求項１２又は１３に記載の縁部シール手段。
【請求項１５】
ブラシフィラメント（２０）の一方が他方よりも長く、これによりスクリーン（１）とブラシ（１７、１８）との間の接触線がオフセットされていることを特徴とする請求項１２乃至１４のいずれかに記載の縁部シール手段。
【請求項１６】
各シールブラシ（１７、１８）はブラシチャネル（１６）に装着されており、各ベース（１９）は使用に際してスライドスクリーン（１）のスライドレール（３０）に接触するようにブラシチャネル（１６）から突出して構成された延長部（２２）を有することを特徴とする請求項１２乃至１５のいずれかに記載の縁部シール手段。
【請求項１７】
ブラシ（１７、１８）は、それらの間にスクリーン（１）のための間隙（２５）が提供されるように配置されていることを特徴とする請求項１２乃至１６のいずれかに記載の縁部シール手段。
【請求項１８】
ブラシフィラメント（２０）は、その自由端において１ｃｍ当たり１５０本より少ないブラシフィラメント密度を有する領域を形成するように配置されていることを特徴とする請求項１２乃至１７のいずれかに記載の縁部シール手段。
【請求項１９】
ブラシフィラメント（２０）の自由端における密度は、１ｃｍ当たり１０本より多いことを特徴とする請求項１２乃至１８のいずれかに記載の縁部シール手段。
【請求項２０】
ブラシフィラメント（２０）の自由端における密度は、１ｃｍ当たり約１００本であることを特徴とする請求項１２乃至１９のいずれかに記載の縁部シール手段。
【請求項２１】
ブラシフィラメント（２０）の自由端における密度は、１ｃｍ当たり約１２０本であることを特徴とする請求項１２乃至１９のいずれかに記載の縁部シール手段。
【請求項２２】
ブラシフィラメント（２０）の基部は、間隔をおいたタフト（２６）にグループ分けされていることを特徴とする請求項１２乃至２１のいずれかに記載の縁部シール手段。
【請求項２３】
可撓性材料からなるスライドスクリーン（１）の縁部のための縁部シール手段であって、
前記縁部シール手段はスクリーン（１）の側面に配置された一対のシールブラシ（１７、１８）を有し、各シールブラシは旋回不可能に取り付けられたベース（１９）から突出するブラシフィラメント（２０）を有し、ブラシフィラメント（２０）はスクリーン（１）に対して同方向に傾斜し、各シールブラシ（１７、１８）はブラシチャネル（１６）に装着されるように配置された前記縁部シール手段において、
ベース（１９）は使用に際してスライドスクリーン（１）のスライドレール（３０）に接触するようにブラシチャネル（１６）から突出して構成された延長部（２２）を有することを特徴とする縁部シール手段。
【請求項２４】
ブラシフィラメント（２０）の一方が他方よりも長く、これによりスクリーン（１）とブラシ（１７、１８）との間の接触線がオフセットされていることを特徴とする請求項２３に記載の縁部シール手段。
【請求項２５】
各ブラシフィラメント（２０）のスクリーン（１）に対する傾斜角度は、３０度乃至６０度であることを特徴とする請求項２３又は２４に記載の縁部シール手段。
【請求項２６】
ブラシフィラメント（２０）は、スクリーン（１）に対して約４５度の角度で傾斜していることを特徴とする請求項２３乃至２５のいずれかに記載の縁部シール手段。
【請求項２７】
ブラシフィラメント（２０）は、スクリーン（１）に対して傾斜するようにベース（１９）に対して角度をなしていることを特徴とする請求項２３乃至２６のいずれかに記載の縁部シール手段。
【請求項２８】
ブラシ（１７、１８）は、それらの間にスクリーン（１）のための間隙（２５）が提供されるように配置されていることを特徴とする請求項２３乃至２７のいずれかに記載の縁部シール手段。
【請求項２９】
ブラシフィラメント（２０）は、その自由端において１ｃｍ当たり１５０本より少ないブラシフィラメント密度を有する領域を形成するように配置されていることを特徴とする請求項２３乃至２８のいずれかに記載の縁部シール手段。  
【請求項３０】
ブラシフィラメント（２０）の自由端における密度は、１ｃｍ当たり１０本より多いことを特徴とする請求項２３乃至２９のいずれかに記載の縁部シール手段。
【請求項３１】
ブラシフィラメント（２０）の自由端における密度は、１ｃｍ当たり約１００本であることを特徴とする請求項２３乃至３０のいずれかに記載の縁部シール手段。
【請求項３２】
ブラシフィラメント（２０）の自由端における密度は、１ｃｍ当たり約１２０本であることを特徴とする請求項２３乃至３０のいずれかに記載の縁部シール手段。
【請求項３３】
ブラシフィラメント（２０）の基部は、間隔をおいたタフト（２６）にグループ分けされていることを特徴とする請求項２３乃至３２のいずれかに記載の縁部シール手段。
【請求項３４】
可撓性材料からなるスライドスクリーン（１）の縁部のための縁部シール手段であって、
前記縁部シール手段はスクリーン（１）の側面に配置された一対のシールブラシ（１７、１８）を有し、各シールブラシは旋回不可能に取り付けられたベース（１９）から突出するブラシフィラメント（２０）を有し、ブラシフィラメント（２０）はスクリーン（１）に対して同方向に傾斜するように配置された前記縁部シール手段において、
ブラシフィラメント（２０）は、その自由端において１ｃｍ当たり１５０本より少ないブラシフィラメント密度を有する領域を形成していることを特徴とする縁部シール手段。
【請求項３５】
ブラシフィラメント（２０）の自由端における密度は、１ｃｍ当たり１０本より多いことを特徴とする請求項３４に記載の縁部シール手段。
【請求項３６】
ブラシフィラメント（２０）の自由端における密度は、１ｃｍ当たり約１００本であることを特徴とする請求項３４又は３５に記載の縁部シール手段。
【請求項３７】
ブラシフィラメント（２０）の自由端における密度は、１ｃｍ当たり約１２０本であることを特徴とする請求項３４又は３５に記載の縁部シール手段。
【請求項３８】
ブラシフィラメント（２０）の基部は、間隔をおいたタフト（２６）にグループ分けされていることを特徴とする請求項３４乃至３７のいずれかに記載の縁部シール手段。
【請求項３９】
ブラシフィラメント（２０）の一方が他方よりも長く、これによりスクリーン（１）とブラシ（１７、１８）との間の接触線がオフセットされていることを特徴とする請求項３４乃至３８のいずれかに記載の縁部シール手段。
【請求項４０】
各ブラシフィラメント（２０）のスクリーン（１）に対する傾斜角度は、３０度乃至６０度であることを特徴とする請求項３４乃至３９のいずれかに記載の縁部シール手段。
【請求項４１】
ブラシフィラメント（２０）はスクリーン（１）に対して約４５度の角度で傾斜していることを特徴とする請求項３４乃至４０のいずれかに記載の縁部シール手段。
【請求項４２】
ブラシフィラメント（２０）は、スクリーン（１）に対して傾斜するようにベース（１９）に対して角度をなしていることを特徴とする請求項３４乃至４１のいずれかに記載の縁部シール手段。
【請求項４３】
ブラシ（１７、１８）は、それらの間にスクリーン（１）のための間隙（２５）が提供されるように配置されていることを特徴とする請求項３４乃至４２のいずれかに記載の縁部シール手段。
【請求項４４】
各シールブラシ（１７、１８）はブラシチャネル（１６）に装着されており、各ベース（１９）は使用に際してスライドスクリーン（１）のスライドレール（３０）に接触するようにブラシチャネル（１６）から突出して構成された延長部（２２）を有することを特徴とする請求項３４乃至４３のいずれかに記載の縁部シール手段。
【請求項４５】
ブラシフィラメント（２０）が突出する細長いベース（１９）を有する、スライド部材と固定部材との間をシールするためのシールブラシにおいて、
ブラシフィラメント（２０）は９０度以外の角度で突出していることを特徴とするシールブラシ。
【請求項４６】
ベース（１９）はプラスチック材料からなることを特徴とする請求項４５に記載のシールブラシ。
【請求項４７】
ベース（１９）は約９０度の角度で突出する延長部（２２）を有することを特徴とする請求項４５又は４６に記載のシールブラシ。
【請求項４８】
ブラシフィラメント（２０）は０．１ｍｍ乃至０．２５ｍｍゲージのモノフィラメントであることを特徴とする請求項４５乃至４７のいずれかに記載のシールブラシ。
【請求項４９】
各ブラシフィラメント（２０）のベース（１９）に対する傾斜角度は、３０度乃至６０度であることを特徴とする請求項４５乃至４８のいずれかに記載のシールブラシ。
【請求項５０】
ブラシフィラメント（２０）は、ベース（１９）に対して約４５度の角度で傾斜していることを特徴とする請求項４５乃至４９のいずれか項に記載のシールブラシ。
【請求項５１】
ブラシフィラメント（２０）は、その自由端において１ｃｍ当たり１５０本より少ないブラシフィラメント密度を有する領域を形成するように配置されていることを特徴とする請求項４５乃至５０のいずれかに記載のシールブラシ。
【請求項５２】
ブラシフィラメント（２０）の自由端における密度は、１ｃｍ当たり１０本より多いことを特徴とする請求項４５乃至５１のいずれかに記載のシールブラシ。
【請求項５３】
ブラシフィラメント（２０）の自由端における密度は、１ｃｍ当たり約１００本であることを特徴とする請求項４５乃至５２のいずれかに記載のシールブラシ。
【請求項５４】
ブラシフィラメント（２０）の自由端における密度は、１ｃｍ当たり約１２０本であることを特徴とする請求項４５乃至５２のいずれかに記載のシールブラシ。
【請求項５５】
ブラシフィラメント（２０）の基部は、間隔をおいたタフト（２６）にグループ分けされていることを特徴とする請求項４５乃至５４のいずれかに記載のシールブラシ。
【発明の詳細な説明】
【技術分野】
【０００１】
本発明は、虫除けスクリーン、日除けスクリーン等の可撓性材料からなるスライドスクリーンの縁部をシールする手段に関する。
【背景技術】
【０００２】
虫除けスクリーンは可撓性の層状メッシュ部材であって、建物の窓やドアを覆って虫の侵入を防ぎつつ、窓やドアを開放したままにしておけるように設計されている。典型的には、虫除けスクリーンはローラーブラインドのように下方にスライドして開口部を覆うように取り付けられるか、あるいはテラスドアのように開口部を横切って取り付けられる。いずれの場合にも、自由縁部にはスライドレールが設けられてこれにより自由縁部が移動されるとともに、スクリーンの対向する縁部は、側面部材に形成された各ガイドチャネルをスライドするように案内される。側面部材は、典型的にはアルミニウム押出し部材である。縁部とガイドチャネルとの間から虫が入ることを防止するように、スクリーンのスライド縁部にはシール手段が必要とされる。
【０００３】
既知のシール手段のひとつは、スクリーン縁部の各側面にそれぞれ配置された一対の細長いシールブラシを備えている。各々のシールブラシは、側面部材のブラシチャネルに受容されたベースから直角に突出するブラシフィラメントを有している。また、このブラシフィラメントはスクリーンに対しても直角である。この構成によれば、スクリーンが風に吹かれて縁部がそのガイドチャネルから外れそうになる場合を除き虫をよく排除できる。このようなブラシフィラメントは、スライドする平面から縁部が外れるような動きに対して縁部を保持することができない。
【０００４】
この問題を解決する他の既知のシール手段においては、一方のシールブラシに代えてパイルストリップが設けられるとともに、他方のブラシのベースがそのブラシチャネル内で旋回可能とされている。旋回ブラシはスクリーンから離れるように動いてスクリーンの縁部をスライド可能とする一方、風が吹いたときには、スクリーンをしっかりと保持するようにスクリーンに向かって動く。この構成は風が吹いている時に縁部を保持するものであるが、旋回ブラシには特別な形状をなすブラシチャネルが必要であるという欠点を有する。従って、このような旋回ブラシは既存のブラシチャネルを使用することができず、使用のためには側面部材を交換しなくてはならない。
【０００５】
更に他の既知のシール手段が、ドイツ特許公開第ＤＥＡ−Ａ−１９６  ３９  ４７８号（Ｎｅｈｅｒ  Ｓｙｓｔｅｍｅ  ＧｍｂＨ  ＆  Ｃｏ．）に開示されており、このシール手段においては、シールブラシがスクリーンに対して傾斜している。ブラシはブラシチャネルに特定の角度をなして取り付けられており、ブラシフィラメントはブラシチャネルから延びてそれらの自由端が接触するようになっている。この構成においては、スクリーンがブラシの間をスライドするようにされている。このシール手段には、スクリーンがスライドするときに磨耗し、またブラシが緊密に接しているためにブラシにスクリーンが引っ掛かり得るという問題点がある。
【発明の開示】
【課題を解決するための手段】
【０００６】
本発明の第１の態様によれば、可撓性材料からなるスライドスクリーンの縁部のための縁部シール手段は、スクリーンの各側面に配置された一対のシールブラシを有し、各シールブラシは旋回不可能に取り付けられたベースから突出するブラシフィラメントを有し、ブラシフィラメントはスクリーンに対して同方向に傾斜するように配置されている。
【０００７】
スクリーンに対して両ブラシフィラメントを同方向に傾斜させたことと、ベースを旋回不可能にしたことは、虫を排除するのに効果的であるとともに、縁部がスライド可能とされ、且つ、風が吹いた時に縁部がスライド平面から外れるような動きに対して縁部を効果的に保持することが可能となる。ブラシフィラメントをその間に間隙があるように配置することにより、スクリーンが円滑にスライドできるとともに、スクリーンがスライドする際にブラシフィラメントがスクリーンを磨耗させることが確実にないようにされる。
【０００８】
シールブラシは、フィラメントがベースに対して直角であるようにブラシチャネルに装着されることも可能であり、既知のタイプのものであり得る。この場合、ブラシチャネルを傾斜させる必要がある。しかし、ブラシチャネルは側面部材においてより広い場所をとることになる。従って、好適にはブラシフィラメントはベースに対して角度をなしている。このようにすれば、既存のブラシチャネルを使用することができる。これにより、側面部材を変更することなく、シール手段を既存の設備において使用することができる。
【０００９】
ブラシフィラメントがベースに対して角度をなしている場合、ベースは好適には使用に際してブラシチャネルから突出するように構成された延長部を含む。この場合、スクリーンの自由縁部に装着されたスライドレールは、スクリーンが移動するときにブラシチャネルではなく延長部と接触することになり、もしベースがプラスチックならばスライドレールの縁部の磨耗が軽減される。
【００１０】
ブラシフィラメントの自由端における密度は、個々のフィラメントのゲージに依存する。しかし、１ｃｍ当たり１５０本より少ないブラシフィラメント密度を利用すれば、スクリーンをその動きに対して保持するようにブラシとスクリーンとの効果的な係合を許容するのに十分な空間を確保するのに好適であることがわかっている。
【００１１】
本発明の第２の実施の態様によれば、可撓性材料からなるスライドスクリーンの縁部のための縁部シール手段は、スクリーンの側面に配置された一対のシールブラシを有し、各シールブラシは旋回不可能に取り付けられたベースから突出するブラシフィラメントを有し、ブラシフィラメントはベースに対して傾斜するとともにスクリーンに対して同方向に傾斜するように配置されている。
【００１２】
シールブラシはブラシチャネルに装着され得る。フィラメントがベースに対して直角である既知のタイプのシールブラシを使用すれば、ブラシチャネルを傾斜させる必要がある。この場合、ブラシチャネルはより広い場所をとることになる。ベースに対して傾斜したブラシフィラメントは、既存のブラシチャネルを使用することが可能であり、従って側面部材を変更する必要はない。
【００１３】
ブラシフィラメントは、その間にスクリーンのための間隙が提供されるように配置され得る。この配置により、スクリーンがスライドする際にブラシフィラメントがスクリーンを磨耗させることを確実に防止できる。
【００１４】
ブラシフィラメントがベースに対して角度をなしている場合、ベースは好適には使用に際してブラシチャネルから突出するように構成された延長部を含む。この場合、スクリーンの自由縁部に装着されたスライドレールは、スクリーンが動くときにブラシチャネルではなく延長部と接触することになり、ベースがプラスチックからなる場合、スライドレールの縁部の磨耗が軽減される。
【００１５】
ブラシフィラメントの自由端における密度は、個々のフィラメントのゲージに依存する。しかし、１ｃｍ当たり１５０本より少ないブラシフィラメント密度を利用すれば、スクリーンをその動きに対して保持するようにブラシとスクリーンとの効果的な係合を許容するのに十分な空間を確保するのに好適であることがわかっている。
【００１６】
本発明の第３の態様によれば、可撓性材料からなるスライドスクリーンの縁部のための縁部シール手段は、スクリーンの側面に配置された一対のシールブラシを有し、各シールブラシは旋回不可能に取り付けられたベースから突出するブラシフィラメントを有し、ブラシフィラメントはスクリーンに対して同方向に傾斜するように配置されるとともに、各シールブラシはブラシチャネルに装着され、各ベースは使用に際してスライドスクリーンのスライドレールに接触するようにブラシチャネルから突出して構成された延長部を有する。
【００１７】
スライドレールが移動するとき、ブラシチャネルではなく延長部に接触することにより、特にベースがプラスチックからなる場合、スライドレールの縁部の磨耗が軽減される。
【００１８】
ブラシフィラメントは、その間にスクリーンのための間隙が提供されるように配置され得る。この配置により、スクリーンがスライドする際にブラシフィラメントがスクリーンを磨耗させることが確実にないようにされる。
【００１９】
シールブラシは、フィラメントがベースに対して直角である既知のタイプのものであり得る。この場合、ブラシチャネルを傾斜させる必要がある。しかし、ブラシチャネルは側面部材においてより広い場所をとることになる。従って、好適にはブラシフィラメントはベースに対して角度をなしている。このようにすれば、既存のブラシチャネルを使用することができる。これにより、側面部材を変更することなく、シール手段を既存の設備において使用することができる。
【００２０】
ブラシフィラメントの自由端における密度は、個々のフィラメントのゲージに依存する。しかし、１ｃｍ当たり１５０本より少ないブラシフィラメント密度を利用すれば、スクリーンをその動きに対して保持するようにブラシとスクリーンとの効果的な係合を許容するのに十分な空間を確保するのに好適であることがわかっている。
【００２１】
本発明の第４の態様によれば、可撓性材料からなるスライドスクリーンの縁部のための縁部シール手段は、スクリーンの側面に配置された一対のシールブラシを有し、各シールブラシは旋回不可能に取り付けられたベースから突出するブラシフィラメントを有し、ブラシフィラメントはスクリーンに対して同方向に傾斜するように配置されるとともに、その自由端において１ｃｍ当たり１５０本より少ないブラシフィラメント密度を有する領域を形成するように配置されている。
【００２２】
１ｃｍ当たり１５０本より少ない密度であれば、ブラシとスクリーンとが十分に係合しスクリーンをその動きに対して保持できることがわかっている。
【００２３】
ブラシフィラメントは、その間にスクリーンのための間隙が提供されるように配置され得る。この配置により、スクリーンがスライドする際にブラシフィラメントがスクリーンを磨耗させることを確実に防止することができる。
【００２４】
シールブラシは、フィラメントがベースに対して直角であるようにブラシチャネルに装着されることも可能であり、既知のタイプのものであり得る。この場合、ブラシチャネルを傾斜させる必要がある。しかし、ブラシチャネルは側面部材においてより広い場所をとることになる。従って、好適にはブラシフィラメントはベースに対して角度をなしている。このようにすれば、既存のブラシチャネルを使用することができる。これにより、側面部材を変更することなく、シール手段を既存の設備において使用することができる。
【００２５】
ブラシフィラメントがベースに対して角度をなしている場合、ベースは好適には使用に際してブラシチャネルから突出するように構成された延長部を含む。この場合、スクリーンの自由縁部に装着されたスライドレールは、スクリーンが動くときにブラシチャネルではなく延長部と接触することになり、ベースがプラスチックからなる場合、スライドレールの縁部の磨耗が軽減される。
【００２６】
以下に記載される特徴は、本発明の上記４つの態様の全てに適用され得るものである。
【００２７】
好適には、ブラシフィラメントの一方が他方よりも長く、これによりスクリーンと各ブラシとの間の接触線がオフセットされている。スクリーンとより長い方のブラシとの間の接触線は、スクリーンの外側に変位するものである。これにより、スクリーンのスライド移動が補助される。スクリーンがそのスライド平面から外れるような動きをした場合、少なくとも一方のブラシによりスクリーンは捕捉されるが、オフセットした接触線はスクリーンが容易に解放されることを確実にする。
【００２８】
好適には、各ブラシフィラメントはスクリーンに対して３０度乃至６０度の範囲で傾斜している。しかし、傾斜角度は約４５度であり得る。更に、各ブラシフィラメントは同一の角度で傾斜している必要はない。
【００２９】
シールブラシは、好適には、スクリーン用の側面部材のブラシチャネルに装着されている。スクリーンの各スライド縁部は、側面部材のガイドチャネル内を案内される。
【００３０】
好都合には、シールブラシはプラスチック製のベースとモノフィラメントブラシフィラメントとを共押出しすることにより形成される。モノフィラメントのゲージは、好適には、０．１ｍｍ乃至０．２５ｍｍである。本発明の第５の実施の態様は、シールブラシ自体に関する。
【００３１】
本発明の第５の実施の態様によれば、スライド部材と固定部材との間をシールするためのシールブラシは細長いベースを有し、ブラシフィラメントはそのベースから９０度以外の角度で突出している。
【００３２】
本発明の第５の実施の態様によるシールブラシは、スライドスクリーンの縁部をシールするのに非常に有用である。
【００３３】
シールブラシのベースは、好適には、プラスチック材料からなる。ベースは略９０度で突出する延長部と、ブラシフィラメントが受容される凹部とを有し得る。
【００３４】
ブラシフィラメントは、好適には、ポリプロピレン或いはナイロン等のプラスチック材料からなるモノフィラメントである。モノフィラメントのゲージは、好適には、０．１ｍｍ乃至０．２５ｍｍである。
【００３５】
シールブラシは、好都合には、ブラシフィラメントとベースとの共押出しにより作製される。
【００３６】
好適には、自由端におけるブラシフィラメント密度は、１ｃｍ当たり１０本より多い。ブラシフィラメント密度はモノフィラメントのゲージに依存するが、０．１ｍｍ乃至０．２５ｍｍのフィラメントゲージであって、１ｃｍ当たり１０本ないし１５０本のブラシフィラメント密度が達成可能である。
【００３７】
最も好適には、自由端におけるブラシフィラメントの密度は、１ｃｍ当たり約１００本或いは１２０本である。しかし、ブラシフィラメント密度は、１ｃｍ当たり約２０本、３０本、４０本、５０本、６０本、７０本、８０本、９０本、或いは１１０本であり得る。
【００３８】
ブラシフィラメントの基部は、間隔をおいたタフトにグループ分けされている。
【発明を実施するための最良の形態】
【００３９】
図１は、建物の窓２を覆うように構成された虫除け網スクリーンであるスライドスクリーン１を示す。スクリーン１はローラーブラインドのように作動する。すなわち、スクリーン１は窓枠の上部のカセット３に収容されており、スライドレール３０によって引き下げられ、必要に応じて窓２の底部に固定される。その後、必要がなくなれば後退させられる。側縁部４及び５は、既知のタイプの側面部材６及び７の各々をスライドする。側面部材は窓枠に固定されるとともに、虫が縁部４及び５を回って侵入しないようにするシール手段８を有している。
【００４０】
図２に側面部材６及び７をより詳しく示す。各側面部材６及び７は、略Ｕ字形状のアルミニウム押出し部材であり、二本の対向する細長い部材１０及び１１を横断する支持体９を有している。部材１０及び１１の外側端（窓２に対して）は、内曲して支持体９とともに小型のオープンフェイスチャネル１２を形成している。内側端１３及び１４はより大きい長さを有し、それらの間には、スクリーンの縁部４及び５が受容されるとともにスライドするように案内されるガイドチャネル１５が画成されている。部材１０及び１１の各内側端１３及び１４は、片側が開放されたブラシチャネル１６と共にシール手段８の一部を受容するように形成されている。各ブラシチャネル１６はガイドチャネル１５の内側端に形成されており、これによりブラシチャネル１６の開放側同士が互いに向かい合うようになっている。
【００４１】
ブラシチャネル１６内に受容されたシール手段８が、図３及び４により詳しく示されている。シール手段８は一対のシールブラシ１７及び１８を備えている。それぞれは、チャネル１６に受容されるように構成されたプラスチック製ベース１９により形成され、ブラシフィラメント２０はベース１９に対して約４５度の角度で突出している。各ベース１９は、チャネル１６内をスライド可能な平坦部２１、及び平坦部２１に対して略直角に突出する延長部２２を有している。延長部２２はチャネル１６を超えて突出し、一方の側面はチャネル１６の縁部と係合する平坦面２３となっているとともに、他方の側面はブラシフィラメント２０が受容される凹部２４となっている。ブラシフィラメント２０は、０．１８ｍｍゲージののポリプロピレンモノフィラメントからなり、ベース１９とフィラメント２０とは共押出しされている。
【００４２】
図３を参照すると、シールブラシ１７及び１８がスクリーン１に向かって同方向に傾斜し、シールブラシ１７及び１８の間の角度が約９０度になっていることがわかる。更に、ブラシ１８のブラシフィラメント２０は、ブラシ１７のブラシフィラメントより長く、間隙２５がブラシ１７及び１８のブラシフィラメント２０の自由端の間に画成されてスクリーン１が通過できるようにされている。
【００４３】
使用に際して、シールブラシ１７及び１８は側面部材のチャネル１６に受容されており（ベース１９の平坦部２１は単にブラシチャネル１６内をスライドする）、スクリーン１の縁部４及び５は、各ガイドチャネル１５におけるシーリングブラシ１７及び１８の間の間隙２５に受容されている。ブラシフィラメント２０は、必要に応じて向きを変えて縁部４及び５をスライド可能とするとともに、スクリーン１が引き下げられた時その縁部４及び５を回って虫が入らないように作用する。
【００４４】
風が吹いたとき、スクリーン１は、内側や外側に膨らんでスクリーン１がスライドする平面から外れるような動きをする。縁部４及び５がスライド平面から外れる動きをすると、ブラシフィラメント２０が作動して縁部４及び５を捕らえ、ガイドチャネル１５から外れないようにする。縁部がスライド平面に戻ると、フィラメント２０から縁部が解放されて、スクリーン１のスライド移動が可能とされる。
【００４５】
図示の実施の形態は、多くの利点を有する。第１に、標準的な側面部材６及び７を利用しつつ、風が吹いてもスクリーンの縁部がしっかりと保持される。また、スクリーン１をスライドさせることが容易となる。また、より短いブラシ１７がブラシ１８の内側にあるため、スクリーン１と２つのシールブラシ１７及び１８のブラシフィラメント２０との接触線がオフセットされていることが理解される。これにより、スクリーン１の各側面の異なる平面において磨耗が生じるという利点が提供される。更に磨耗を軽減させる特徴部は延長部２２である。なぜならば、スライドレール３０がスライドするとき、スライドレール３０はアルミニウム製のチャネル１６ではなくプラスチック製の延長部２２に接触する傾向を有するからである。
【００４６】
ブラシフィラメント２０はベース１９に対していずれも４５度の角度で示されているが、この角度は変更可能であることが理解される。従って、２つのブラシフィラメントは互いに異なった角度であってもよいし、３０度乃至６０度の間で同じ角度であってもよい。これに応じて、２つのブラシフィラメントの相対的な長さを選択することができる。また、必要に応じてモノフィラメントのゲージも選択することができ、好適にはこのゲージは０．１ｍｍ乃至０．２５ｍｍの範囲にある。間隙２５も所望であれば変更可能である。
【００４７】
図５は、ベース１９とブラシフィラメント２０とを有するシールブラシの側面図である。ブラシフィラメント２０は、その自由端において略均一の密度を有する領域を形成する一方、その基部において間隔をおいたタフト２６にグループ分けされている。ブラシフィラメントは、必要に応じて、その基部及び自由端において略均一とすることも可能である。
【図面の簡単な説明】
【００４８】
【図１】スライドスクリーンを備えた窓を概略的に示す図である。
【図２】図１の２−２線に沿った断面図である。
【図３】スクリーンの縁部をシールする手段を示す、図２の部分拡大図である。
【図４】図２及び３に示すシールブラシの端面図である。
【図５】図２乃至４に示すシールブラシの側面図である。
【図１】
2005511928.tif 000003
【図２】
2005511928.tif 000004
【図３】
2005511928.tif 000005
【図４】
2005511928.tif 000006
【図５】
2005511928.tif 000007
【国際調査報告】
2005511928.tif 000008
2005511928.tif 000009
2005511928.tif 000010
2005511928.tif 000011